(57)【要約】【課題】スイッチ連動演出を行う遊技機において、画像の開発を効率化し、開発期間の短縮や開発コストの低減を図ると共に、スイッチ連動演出の参加機会を増やして遊技者の参加意識を高める。【解決手段】抽選図柄（特別図柄や特別図柄に係る演出図柄）を変動表示する抽選図柄表示装置（特別図柄表示装置１８や演出図柄表示装置１９）と、遊技者によって操作される演出スイッチＳと、該演出スイッチＳの操作に連動した演出を行うスイッチ連動演出表示制御基板２８とを備えるパチンコ遊技機１において、抽選図柄表示装置とは別体のスイッチ連動演出表示装置２０を設けると共に、該スイッチ連動演出表示装置２０を用いて、任意のタイミングでスイッチ連動演出を行う。【選択図】図３
2007111424.tif 000002
【特許請求の範囲】
【請求項１】
抽選図柄を変動表示する抽選図柄表示装置と、遊技者によって操作される演出スイッチと、該演出スイッチの操作に連動した演出を行うスイッチ連動演出制御手段とを備える遊技機において、
前記抽選図柄表示装置とは別体のスイッチ連動演出表示装置を設けると共に、該スイッチ連動演出表示装置を用いて、任意のタイミングでスイッチ連動演出を行うことを特徴とする遊技機。
【請求項２】
前記スイッチ連動演出制御手段は、遊技機稼働停止状態におけるスイッチ連動演出を禁止することを特徴とする請求項１記載の遊技機。
【請求項３】
前記スイッチ連動演出制御手段は、複数回の抽選図柄変動期間に跨ったスイッチ連動演出を行うことを特徴とする請求項１又は２記載の遊技機。
【請求項４】
前記スイッチ連動演出制御手段は、スイッチ連動演出としてミニゲーム演出を行い、該ミニゲーム演出の結果に応じて大当り予告演出を行うことを特徴とする請求項１〜３のいずれかに記載の遊技機。
【発明の詳細な説明】
【技術分野】
【０００１】
本発明は、パチンコ遊技機、スロットマシンなどの遊技機に関し、特に、演出スイッチの操作に連動したスイッチ連動演出を行う遊技機に関する。
【背景技術】
【０００２】
近年、遊技者によって操作される演出スイッチを上皿などに備え、該演出スイッチの操作により、遊技者の遊技に対する参加意識を高め遊技機が増えている（例えば、特許文献１参照）。この種の遊技機は、演出スイッチに内装されたランプの点灯や、液晶画面の表示により、演出スイッチの操作タイミングを指示し、この指示に応じて演出スイッチが操作されたら、演出スイッチの操作に連動した演出を行うように構成されている。例えば、抽選図柄変動中に演出スイッチの操作を指示し、当該スイッチ操作に応じてリーチ、スーパーリーチ、大当りなどを予告する演出や、スーパーリーチ中に演出スイッチの連打を指示し、当該スイッチ連打に応じて画像を連動させる演出が行われている。
【特許文献１】特開２００４−２４２７４８号公報
【発明の開示】
【発明が解決しようとする課題】
【０００３】
しかしながら、このようなスイッチ連動演出機能を備える従来の遊技機は、スイッチ連動演出に係る表示を抽選図柄表示装置（演出図柄表示装置）の抽選図柄表示領域で行っているため、抽選図柄表示装置の画像構成が複雑になり、画像の開発に手間がかかるという問題がある。また、従来の遊技機におけるスイッチ連動演出のタイミングは、抽選図柄表示装置における演出と密接に関係しているので、スイッチ連動演出を行うタイミングが限られており、任意のタイミングで遊技者がスイッチ連動演出を行うことは困難であった。
【課題を解決するための手段】
【０００４】
本発明は、上記の如き実情に鑑みこれらの課題を解決することを目的として創作されたものであって、抽選図柄を変動表示する抽選図柄表示装置と、遊技者によって操作される演出スイッチと、該演出スイッチの操作に連動した演出を行うスイッチ連動演出制御手段とを備える遊技機において、前記抽選図柄表示装置とは別体のスイッチ連動演出表示装置を設けると共に、該スイッチ連動演出表示装置を用いて、任意のタイミングでスイッチ連動演出を行うことを特徴とする。このようにすると、抽選図柄表示装置の画像とスイッチ連動演出表示装置の画像を別々に開発できるので、開発の効率化により、開発期間の短縮や開発コストの低減が図れる。しかも、抽選図柄表示装置の演出タイミングに拘わらず、遊技者が任意のタイミングでスイッチ連動演出を行うことが可能になるだけでなく、参加機会を増やしてスイッチ連動演出の参加率を高めることができる。
また、前記スイッチ連動演出制御手段は、遊技機稼働停止状態におけるスイッチ連動演出を禁止することを特徴とする。このようにすると、稼働停止状態（継続的な遊技球発射停止状態や抽選図柄停止状態）を維持したまま、スイッチ連動演出だけで遊ぶような遊技態様を禁止し、遊技機の稼働低下を防止できる。
また、前記スイッチ連動演出制御手段は、複数回の抽選図柄変動期間に跨ったスイッチ連動演出を行うことを特徴とする。このようにすると、抽選図柄変動期間に影響を受けることなく、長時間に亘るスイッチ連動演出が可能になる。
また、前記スイッチ連動演出制御手段は、スイッチ連動演出としてミニゲーム演出を行い、該ミニゲーム演出の結果に応じて大当り予告演出を行うことを特徴とする。このようにすると、スイッチ連動演出に対する遊技者の興味を高めて、スイッチ連動演出の参加率を向上させることができる。
【発明の効果】
【０００５】
以上のような構成によれば、抽選図柄表示装置の画像とスイッチ連動演出表示装置の画像を別々に開発できるので、開発の効率化により、開発期間の短縮や開発コストの低減が図れる。しかも、抽選図柄表示装置の演出タイミングに拘わらず、遊技者が任意のタイミングでスイッチ連動演出を行うことが可能になるだけでなく、参加機会を増やしてスイッチ連動演出の参加率を高めることができる。
【発明を実施するための最良の形態】
【０００６】
［遊技機の全体構成］
次に、本発明の実施形態について、図面に基づいて説明する。図１及び図２において、１はパチンコ遊技機（遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、パチンコ遊技が可能になる。
【０００７】
パチンコ遊技機１の正面部は、遊技球が発射される遊技盤４と、その前方を覆う開閉自在なガラス枠５と、遊技球を溜める上皿６と、上皿６の余剰球を溜める下皿７と、遊技球の発射操作を行う発射ハンドル８と、遊技球の貸出操作を行う貸出操作部９と、効果音を出力するスピーカ１０と、遊技者によって操作される演出スイッチＳとを備えており、また、パチンコ遊技機１の背面部は、払出用の遊技球を溜める遊技球タンク１１と、遊技球タンク１１内の遊技球を上皿６に払い出す賞球払出装置１２と、遊技球を発射する発射モータ１３と、後述する各種の基板とを備えている。尚、演出スイッチＳとしては、押しボタン型の操作スイッチが好適であるが、例えば、タッチスイッチなどの他のスイッチ類を適用してもよい。
【０００８】
図３に示すように、遊技盤４には、始動口１４、大入賞口１５、入賞口（図示せず）、ゲート（図示せず）、アウト口１６、遊技釘１７などが配置されており、遊技盤４に発射された遊技球は、遊技釘１７によって各口１４〜１６に誘導される。また、遊技盤４には、特別図柄表示装置（抽選図柄表示装置）１８、演出図柄表示装置（抽選図柄表示装置）１９、スイッチ連動演出表示装置２０などの表示装置が配置されている。特別図柄表示装置１８は、特別図柄（抽選図柄）を形式的に変動表示する表示装置であり、例えば、７セグＬＥＤや複数のＬＥＤで構成される。演出図柄表示装置１９は、特別図柄に対応した演出図柄（抽選図柄）を変動表示する表示装置であり、例えば、液晶パネル、リールユニットなどで構成され、演出図柄変動表示の他、リーチ予告演出表示、スーパーリーチ演出表示、大当り演出表示などを行う。スイッチ連動演出表示装置２０は、後述するスイッチ連動演出に使用される表示装置であり、特別図柄表示装置１８や演出図柄表示装置１９とは別体の表示装置で構成される。スイッチ連動演出表示装置２０を構成する表示装置としては、本実施形態で示す液晶パネルの他、リールユニット、７セグＬＥＤ、複数のＬＥＤ、可動役物などで構成することができる。
【０００９】
［遊技機の基本動作］
上皿６に遊技球が溜った状態で発射ハンドル８を回し操作すると、遊技盤４に向けて遊技球が発射される。発射された遊技球が始動口１４や入賞口に入賞した場合は、所定個数の遊技球が賞球として払い出される。また、遊技球がゲートを通過したときは、普通図柄表示部（本実施形態では演出図柄表示装置１９を兼用）において普通図柄の変動表示が行われ、その停止図柄が所定の当り図柄である場合は、始動口１４に設けられる普通電動役物１４ａが所定時間にわたって開放動作される。また、遊技球が始動口１４に入賞したときは、特別図柄表示装置１８及び演出図柄表示装置１９において特別図柄及び特別図柄に係る演出図柄の変動表示が行われ、これらの図柄が予め決められた大当りの組み合せで停止すると、遊技者が多くの遊技球を獲得可能な大当りモード（特定遊技状態）となる。
以下、大当りの開始、終了などを契機として切換えられるパチンコ遊技機１の各種遊技モードについて、図４を参照して説明する。
【００１０】
（１）通常遊技モード
このモードでは、特別図柄抽選における２段階の大当り確率のうち、低確率（例えば、１／３００）が適用される。また、このモードでは、普通図柄の抽選サイクルが長くなっている。
（２）大当りモード
このモードは、特別図柄（演出図柄）が予め決められた大当り図柄で停止したとき実行され、大入賞口１５に設けられる特別電動役物１５ａの開放動作が行われる。この開放動作は、所定時間の経過（例えば、３０秒）又は所定個数の入賞（例えば、１０球）を１ラウンドとし、所定のラウンド数（例えば、１５ラウンド）に亘って繰り返される。
（３）確率変動モード
このモードは、大当りモードが終了した後、所定の確率（例えば、１／２）で実行される。すなわち、特別図柄抽選の大当りには、大入賞口１５の開放動作後、特別図柄抽選の当選確率を低確率にする通常大当りと、大入賞口１５の開放動作後、特別図柄抽選の当選確率を高確率にする確変大当りとがある。例えば、大当り時の停止図柄が特定の確変図柄であったとき、確変大当りとなる。そして、確率変動モードでは、大当り確率が高確率（例えば、１／３０）となり、また、普通図柄抽選の抽選サイクルが短く、しかも、普通電動役物１４ａの開放時間が長いため、持ち玉をほとんど減らすことなく、再び大当りを発生させることができる。
（４）時間短縮モード
このモードは、大当りモードが終了した後に実行される。時間短縮モードでは、特別図柄抽選の大当り確率が低確率であるが、普通図柄抽選の抽選サイクルが短く、しかも、普通電動役物１４ａの開放時間が長いため、持ち玉をほとんど減らすことなく、遊技を継続することができる。ただし、このモードは、大当り終了後、特別図柄の変動回数が所定回数（例えば、１００回）となった時点で終了し、通常モードに切り換えられる。
【００１１】
［遊技機の基板構成］
次に、パチンコ遊技機１の基板構成について、図５を参照して説明する。この図に示すように、パチンコ遊技機１は、少なくとも主基板２１と、該主基板２１からの演出コマンドに応じて、演出処理を行う周辺基板２２とを備えている。本実施形態の主基板２１は、主制御基板２３、払出制御基板２４、発射モータ制御基板２５及び特別図柄表示基板２６を含み、周辺基板２２は、演出図柄表示制御基板２７、スイッチ連動演出表示制御基板（スイッチ連動演出制御手段）２８、音声制御基板２９及びランプ制御基板３０を含んでいる。
【００１２】
払出制御基板２４には、玉切れスイッチ３１、払出センサ３２、払出モータ３３などが接続されており、主制御基板２３からの払出信号に応じて、遊技球の払い出しを行うほか、台間玉貸し機３からの貸出信号に応じて、遊技球の払い出しを行う。また、発射モータ制御基板２５には、発射スイッチ（ハンドル角センサ）３４、タッチセンサ３５、発射モータ１３などが接続されており、発射スイッチ３４及びタッチセンサ３５がＯＮのとき、発射モータ１３を駆動させる。また、特別図柄表示基板２６には、特別図柄表示装置１８が接続されており、主制御基板２３からの表示信号に応じて、特別図柄表示装置１８に特別図柄を表示させる。
【００１３】
主制御基板２３には、入賞口（図示せず）に対する遊技球の入賞を検出する入賞口スイッチＳＷ１と、始動口１４に対する遊技球の入賞を検出する始動口スイッチＳＷ２と、ゲート（図示せず）における遊技球の通過を検出するゲートスイッチＳＷ３と、大入賞口１５に対する遊技球の入賞を検出する大入賞口スイッチＳＷ４と、大入賞口１５の特別電動役物１５ａなどを開閉動作させるソレノイドＳＯＬとが接続されている。そして、主制御基板２３は、上記各スイッチＳＷ１〜ＳＷ４の検出信号に応じて、特別図柄抽選処理、特別図柄表示処理、演出コマンド送信処理、大入賞口開閉処理などを行う。
【００１４】
演出図柄表示制御基板２７には、演出図柄表示装置１９が接続されており、主制御基板２３からの演出コマンドに応じて、演出図柄表示装置１９に演出図柄を変動表示させる。また、スイッチ連動演出表示制御基板２８には、スイッチ連動演出表示装置２０や演出スイッチＳが接続されており、演出スイッチＳの操作に応じて、スイッチ連動演出表示装置２０にスイッチ連動演出画像を表示させる。また、音声制御基板２９には、スピーカ１０が接続されており、主制御基板２３（又は演出図柄表示制御基板２７）からの演出コマンドに応じて、所定の演出音声をスピーカ１０から出音させる。また、ランプ制御基板３０には、発光表示ランプＬが接続されており、主制御基板２３（又は演出図柄表示制御基板２７）からの演出コマンドに応じて、発光表示ランプＬを点灯動作させる。尚、演出図柄表示制御基板２７とスイッチ連動演出表示制御手段２８は、双方向に通信ができるように接続されることが好ましい。このようにすると、演出スイッチＳの操作信号を、スイッチ連動演出表示制御基板２８及び演出図柄表示制御基板２７を介して音声制御基板２９に出力し、演出スイッチＳの操作に連動した演出音をスピーカ１０から出音することが可能になる。
【００１５】
［スイッチ連動演出］
次に、パチンコ遊技機１が行うスイッチ連動演出について、図６〜図８を参照して説明する。本発明の実施形態に係るパチンコ遊技機１は、特別図柄表示装置１８や演出図柄表示装置１９とは別体のスイッチ連動演出表示装置２０を備え、該スイッチ連動演出表示装置２０を用いて、任意のタイミングでスイッチ連動演出を行う。これにより、演出図柄表示装置１９の画像とスイッチ連動演出表示装置２０の画像を別々に開発できるので、開発の効率化により、開発期間の短縮や開発コストの低減が図れる。しかも、演出図柄表示装置１９の演出タイミングに拘わらず、遊技者が任意のタイミングでスイッチ連動演出を行うことが可能になるので、参加機会を増やしてスイッチ連動演出の参加率を高めることができる。
【００１６】
スイッチ連動演出表示装置２０によるスイッチ連動演出は、パチンコ遊技機１の電源投入後、いかなるタイミングでも実行することが可能であるが、遊技機稼働停止状態においては、スイッチ連動演出を禁止することが好ましい。このようにすると、稼働停止状態（継続的な遊技球発射停止状態や抽選図柄停止状態）を維持したまま、スイッチ連動演出だけで遊ぶような遊技態様が禁止されるので、パチンコ遊技機１の稼働低下を回避できる。また、スイッチ連動演出表示装置２０においては、図６に示すように、複数回の抽選図柄変動期間に跨ったスイッチ連動演出を行うことができる。このようにすると、抽選図柄変動期間に影響を受けることなく、長時間に亘るスイッチ連動演出が可能になる。
【００１７】
スイッチ連動演出表示装置２０によるスイッチ連動演出の内容は、演出スイッチＳの操作タイミングに応じて結果が変化するようなミニゲーム演出であることが好ましい。例えば、図７の（Ａ）に示すように、演出スイッチＳの一回目の操作に応じてリール図柄の変動を開始し、演出スイッチＳの二回目の操作に応じて停止したリール図柄の配列で勝敗を決めるスロットマシンゲーム演出や、図７の（Ｂ）に示すように、演出スイッチＳの操作に応じてルーレットの外周にボールを投入し、所定時間後にボールが入った目数に応じて勝敗を決めるルーレットゲーム演出を行うことができる。このようにすると、スイッチ連動演出自体にゲーム性を付与し、遊技者の興味を高めることができる。また、図７の（Ｃ）に示すように、ミニゲーム演出の結果に応じて大当り予告演出（例えば、大当りの期待度を表示）を行うようにすると、スイッチ連動演出に対する遊技者の興味が更に高まり、スイッチ連動演出の参加率向上が図れる。
【００１８】
次に、スイッチ連動演出表示制御基板２８におけるスイッチ連動演出表示制御の処理手順について、図８を参照して説明する。ただし、以下の説明では、スイッチ連動演出としてスロットマシンゲーム演出を行い、所定の図柄が揃ったとき、大当り予告として大当り期待度を示すものとする。この図に示すように、スイッチ連動演出表示制御では、まず、パチンコ遊技機１が稼働状態であるか否かを判断し（Ｓ１）、該判断結果がＹＥＳの場合は、演出スイッチＳの操作を判断する（Ｓ２）。ここで、演出スイッチＳの操作を判断したら、最大変動時間を規定するタイマＴをセットした後（Ｓ３）、リール図柄の変動を開始し（Ｓ４）、演出スイッチＳの二回目の操作と（Ｓ５）、タイマＴの経過を判断する（Ｓ６）。演出スイッチＳの二回目の操作があった場合や、タイマＴが経過した場合は、現在変動している特別図柄の抽選結果を参照し、この抽選結果に応じてリール図柄の停止配列を決める（Ｓ７）。例えば、特別図柄の抽選結果が大当りの場合は、９０％程度の確率で図柄が揃い、特別図柄の抽選結果が外れの場合は、１０％程度の確率で図柄が揃うように停止配列を決め、これにもとづいて変動中のリール図柄を停止させる（Ｓ８）。そして、停止図柄が揃った場合は（Ｓ９）、図７の（Ｃ）に示すような大当り予告演出により、特別図柄抽選に係る大当りの期待度を表示する（Ｓ１０）。
【００１９】
叙述の如く構成された本発明の実施形態によれば、抽選図柄（特別図柄や特別図柄に係る演出図柄）を変動表示する抽選図柄表示装置（特別図柄表示装置１８や演出図柄表示装置１９）と、遊技者によって操作される演出スイッチＳと、該演出スイッチＳの操作に連動した演出を行うスイッチ連動演出表示制御基板２８とを備えるパチンコ遊技機１において、抽選図柄表示装置とは別体のスイッチ連動演出表示装置２０を設けると共に、該スイッチ連動演出表示装置２０を用いて、任意のタイミングでスイッチ連動演出を行うので、抽選図柄表示装置の画像とスイッチ連動演出表示装置２０の画像を別々に開発でき、その結果、開発の効率化により、開発期間の短縮や開発コストの低減が図れる。しかも、抽選図柄表示装置の演出タイミングに拘わらず、遊技者が任意のタイミングでスイッチ連動演出を行うことが可能になるだけでなく、参加機会を増やしてスイッチ連動演出の参加率を高めることができる。
【００２０】
また、スイッチ連動演出表示制御基板２８は、遊技機稼働停止状態におけるスイッチ連動演出を禁止するので、稼働停止状態（継続的な遊技球発射停止状態や抽選図柄停止状態）を維持したまま、スイッチ連動演出だけで遊ぶような遊技態様を禁止し、遊技機の稼働低下を防止できる。
【００２１】
また、スイッチ連動演出表示制御基板２８は、複数回の抽選図柄変動期間に跨ったスイッチ連動演出を行うので、抽選図柄変動期間に影響を受けることなく、長時間に亘るスイッチ連動演出が可能になる。
【００２２】
また、スイッチ連動演出表示制御基板２８は、スイッチ連動演出としてミニゲーム演出を行い、該ミニゲーム演出の結果に応じて大当り予告演出を行うので、スイッチ連動演出に対する遊技者の興味を高めて、スイッチ連動演出の参加率を向上させることができる。
【００２３】
尚、本発明は、前記実施形態に限定されないことは勿論であり、例えば、パチンコ遊技機以外の遊技機（スロットマシンなど）でも実施できることは言うまでもない。
【図面の簡単な説明】
【００２４】
【図１】パチンコ遊技機の正面図である。
【図２】パチンコ遊技機の背面図である。
【図３】遊技盤の正面図である。
【図４】パチンコ遊技機の遊技モードを示すフローチャートである。
【図５】パチンコ遊技機の基板構成を示すブロック図である。
【図６】抽選図柄変動期間及びスイッチ連動演出期間を示すタイミングチャートである。
【図７】（Ａ）〜（Ｃ）はスイッチ連動演出表示装置の画面例を示す説明図である。
【図８】スイッチ連動演出表示制御の処理手順を示すフローチャートである。
【符号の説明】
【００２５】
１    パチンコ遊技機
４    遊技盤
１４  始動口
１５  大入賞口
１８  特別図柄表示装置
１９  演出図柄表示装置
２０  スイッチ連動演出表示装置
２３  主制御基板
２６  特別図柄表示基板
２７  演出図柄表示制御基板
２８  スイッチ連動演出表示制御基板
Ｓ    演出スイッチ
【図１】
2007111424.tif 000003
【図２】
2007111424.tif 000004
【図３】
2007111424.tif 000005
【図４】
2007111424.tif 000006
【図５】
2007111424.tif 000007
【図６】
2007111424.tif 000008
【図７】
2007111424.tif 000009
【図８】
2007111424.tif 000010